(57)【要約】      （修正有）【課題】害獣の侵入を確実に防止できるうえに、必要最小限の本数の線材をもって構成できる軽量かつ安価な獣害防護フェンス用網状体を提供する。【解決手段】複数本の線材２０，２１が縦横に交叉するとともに各交叉部が固着されて成る獣害防護フェンス用網状体である。縦線材２０は対象とする害獣の通り抜けが不可能な間隔で配列されている。横線材２１は上端側と下端側とにそれぞれ少なくも２本ずつ配設されている。上端側の最下位の横線材２１ｂは、下端側の最上位の横線材２１ｃに対して、対象とする害獣の足が届かない高さに配設されている。【選択図】図１
0003153367.tif 000002
【実用新案登録請求の範囲】
【請求項１】
複数本の線材が縦横に交叉するとともに各交叉部が固着されて成る獣害防護フェンス用網状体において、縦方向の線材は対象とする害獣の通り抜けが不可能な間隔で配列され、横方向の線材は上端側と下端側とにそれぞれ少なくも２本ずつ配設されており、上端側の最下位の横方向の線材は、下端側の最上位の横方向の線材に対して、対象とする害獣の足が届かない高さに配設されて成る獣害防護フェンス用網状体。
【請求項２】
横方向の線材は、上端側の本数が２本、下端側の本数が３本に設定され、下端側の３本の横方向の線材は、最下位の線材と中間位置の線材との距離が中間位置の線材と最上位の線材との距離より大きな値に設定されている請求項１に記載された獣害防護フェンス用網状体。
【考案の詳細な説明】
【技術分野】
【０００１】
この考案は、田畑などの所定の区域内にイノシシなどの害獣が侵入するのを防止するための獣害防護フェンスの構築に用いられる獣害防護フェンス用網状体に関する。
【背景技術】
【０００２】
山間部の農家では、イノシシなどの野生動物が出没し、農作物が食い荒らされるという被害が多発している。この種の被害をなくすため、農家では、田畑などの所定の区域内へ害獣が侵入しないようにするための獣害防護フェンスを構築することが行われている。
この種の獣害防護フェンスを構築する部材として、風通しが良好であり、透光性を有する網状体が好適であり、例えば、複数本の鉄線をほぼ同一面内で縦横に交叉させるとともに、各交叉部分を溶接により固着して一体化した構造の網状体が提案されている（例えば特許文献１参照）。
【先行技術文献】
【特許文献】
【０００３】
【特許文献１】実用新案登録第３０７２１５３号公報
【０００４】
上記の網状体は、図４に示すように、縦方向の鉄線８と横方向の鉄線９とが全面にわたって等配列されて成るものであり、鉄線８，８間の間隔ｐおよび鉄線９，９間の間隔ｑは害獣の通り抜けが不可能な値に設定されている。
【考案の概要】
【考案が解決しようとする課題】
【０００５】
しかし、上記した構成の網状体１０では、縦横の各鉄線８，９は全高さおよび全長さにわたって密に配列されているので、網状体１０の重量が増し、運搬などの取扱が不便である。また、材料費が嵩むため、網状体の製作コストが高くつく。さらに、横方向の鉄線９が全高さにわたって配設されているので、この網状体１０をイノシシを対象とした獣害防護フェンスの構築に用いた場合、イノシシは横方向の鉄線９を下段より順次足掛かりとして網状体１０をよじ登るため、網状体１０を簡単に乗り越えてしまうという問題がある。
【０００６】
この考案は、上記した問題に着目してなされたもので、害獣の侵入を確実に防止できるうえに、必要最小限の本数の材料をもって構成できる軽量かつ安価な獣害防護フェンス用網状体を提供することを目的とする。
【課題を解決するための手段】
【０００７】
この考案による獣害防護フェンス用網状体は、複数本の線材が縦横に交叉するとともに各交叉部が固着されて成るものであり、縦方向の線材は対象とする害獣の通り抜けが不可能な間隔で配列され、横方向の線材は上端側と下端側とにそれぞれ少なくも２本ずつ配設されている。上端側の最下位の横方向の線材は、下端側の最上位の横方向の線材に対して、対象とする害獣の足が届かない高さに配設されている。
この考案の上記した構成において、「線材」とは線状ないしは棒状の材料を意味し、典型的には鉄線が用いられる。
【０００８】
この考案による網状体により獣害防護フェンスを構築すると、縦方向の線材は、対象とする害獣（例えばイノシシ）の通り抜けが不可能な間隔で配列されているので、害獣は網状体の間隙を通り抜けることができない。また、横方向の線材は、上端側と下端側とにそれぞれ少なくも２本ずつ配されるとともに、上端側の最下位の横方向の線材は、下端側の最上位の横方向の線材に対して、対象とする害獣の足が届かない高さに配設されているので、害獣が下端側の最上位の横方向の線材上に乗り上がっても、その位置から上端側の最下位の横方向の線材に足が届かず、網状体を乗り越えることができない。しかも、横方向の線材が上端側と下端側とにそれぞれ少なくも２本ずつ配されているので、全ての縦方向の線材が上端部および下端部において強固に連結されて網状体の全体の強度が高められ、網状体の変形などを防止でき、害獣により網状体が突き破られるおそれがない。
【０００９】
この考案の好ましい実施態様においては、横方向の線材は、上端側の本数が２本、下端側の本数が３本に設定され、下端側の３本の横方向の線材は、最下位の線材と中間位置の線材との距離が中間位置の線材と最上位の線材との距離より大きな値に設定されている。
この実施態様によると、最下位の線材が地表近くの地中の適当な深さに埋まるように網状体を設置でき、最下位の横線材が地表近くの地中に位置することで、害獣が土を掘り返すことの障害となり、害獣が網状体の下をくぐって侵入するのを防止できる。
【考案の効果】
【００１０】
この考案によると、害獣が線材間の隙間を通り抜けたり乗り越えたりするのを確実に防止できるうえに、必要最小限の本数の線材をもって軽量かつ安価に獣害防護フェンス用網状体を構成できるという効果がある。
【図面の簡単な説明】
【００１１】
【図１】この考案の一実施例である網状体を用いて構成された獣害防護フェンスの概略構成を示す正面図である。
【図２】網状体の構成を示す正面図である。
【図３】網状体連結具による網状体と支柱との連結状態を示す斜視図である。
【図４】従来の網状体を示す正面図である。
【考案を実施するための形態】
【００１２】
図１は、この考案の一実施例である網状体２を用いて構成された獣害防護フェンスの概略構成を示している。
図示例の獣害防護フェンス１は、地上に縦設されるもので、横並びに順次連ねられる複数の網状体２，２と、網状体２が連ねられる位置毎に地上に縦設される支柱３と、隣り合う網状体２，２を支柱３に一体連結するための網状体連結具４，４とで構成されている。
隣り合う網状体２，２は、図３に示すように、連結されるそれぞれの内端部２Ｌ，２Ｒが前後にわずかに位置ずれさせて重ねられている。網状体連結具４は上下の各位置に少なくとも１個ずつ配設されるもので、支柱３を挟んで前後に重ねられた状態で網状体２，２を連結する。
【００１３】
各網状体２は、図２に示すように、複数本の線材２０，２１がほぼ同一面内で縦横に交叉しており、全ての交叉部分が溶接により一体に固着されている。以下、縦方向の線材２０を「縦線材２０」、横方向の線材２１を「横線材２１」という。
【００１４】
図示例の網状体２では、縦線材２０および横線材２１として円形断面の直径が５ｍｍの鉄線が用いられている。この実施例では、縦線材２０の長さは１ｍ、横線材２１の長さは２ｍであるが、鉄線の径や長さはこれに限られるものではない。
縦線材２０は、害獣の通り抜けが不可能な間隔で設けられる。この実施例では、害獣としてイノシシを想定しており、瓜坊（イノシシの子）が通り抜けることができないように、縦線材２０の配列間隔ｔを７５ｍｍに設定してある。
【００１５】
横線材２１は、高さ中央部の領域Ｓを空けて上端側と下端側とに配設される。この実施例では、上端側の本数を２本に、下端側の本数を３本に、それぞれ設定してある。上端側と下端側とにそれぞれ少なくとも２本ずつ配設することにより、全ての縦線材２０が上端部および下端部において強固に連結されるので、網状体２の全体の強度が高められ、変形などが防止される。
【００１６】
上端側の２本の横線材２１は、縦線材２０の上端と上位の側の横線材２１ａとの距離ｄ１が５０ｍｍに、上位の側の横線材２１ａと下位の側の横線材２１ｂとの距離（間隔）ｄ２は７５ｍｍに、それぞれ設定されている。
下端側の３本の横線材２１は、縦線材２０の下端と最下位の横線材２１ｅとの距離ｄ５が６５ｍｍに、最下位の横線材２１ｅと中間位置の横線材２１ｄとの距離ｄ４が１５０ｍｍに、中間位置の横線材２１ｄと最上位の横線材２１ｃとの距離ｄ３が７５ｍｍに、それぞれ設定されている。
【００１７】
各網状体２は、図１に示すように、最下位の横線材２１ｅが地表Ｆ近くの地中に位置するように縦設される。最下位の横線材２１ｅが地表Ｆ近くの地中に位置することでイノシシが土を掘り返すことの障害となり、網状体２の下側をくぐり抜けるのを防止できる。最下位の横線材２１ｅとその上の横線材２１ｄとの距離ｄ４は、最下位の横線材２１ｅを地中に埋めることを想定して、その中間位置の横線材２１ｄとその上の横線材２１ｃとの距離ｄ３より大きく設定してある。
【００１８】
下端側の最上位の横線材２１ｃに対する上端側の下位の側の横線材２１ｂの高さｈは、イノシシが横線材２１ｃ上に後足で乗り上がっても、横線材２１ｂに後足が届かないような高さ、この実施例では、６６０ｍｍに設定されている。このように、下端側の最上位の横線材２１ｃと上端側の下位の側の横線材２１ｂとの間の高さ中央部の領域Ｓにはイノシシの足掛かりとなる横線材が存在しないので、イノシシが網状体２を乗り越えることは不可能である。
【００１９】
支柱３は、下端が地中深くに打ち込まれて地上に縦設されるもので、地中への打込みが可能かつ容易なように下端を尖らせるのが望ましい。支柱３は網状体２より深く打ち込まれるので、縦設時には網状体２と高さがほぼ揃うように網状体２の高さより大きな長さに設定されている。この実施例の支柱３は直径が１０〜１３ｍｍの鋼棒が用いられ、地中から抜けにくくするために外周面に螺旋条（図示せず。）を形成するとよい。
【００２０】
網状体連結具４は、図３に示すように、長方矩形状の金属板材を長さ中央部で直角に曲げかつ折り返すことにより形成されており、対向する一対の垂直板部４１，４２と曲げ板部４０とを一体に有している。
各垂直板部４１，４２と曲げ板部４０とで囲まれる空間は、支柱３と２本の縦線材２０，２０とが挿入可能な線材挿入溝５を構成している。この線材挿入溝５の内部には、手前側の網状体２の縦線材２０Ｌと横線材２１との交叉部分と、奥側の網状体２の縦線材２０Ｒと横線材２１との交叉部分とを位置させるので、２本の横線材２１，２１が線材挿入溝５を横切って各垂直板部４１，４２を貫通するように、各垂直板部４１，４２の下端縁の同じ位置に、線材挿入溝５内を上下に通る前後の縦線材２０Ｌ，２０Ｒと交叉する各横線材２１，２１を挿通させることが可能な溝幅の２個の切欠溝４３，４４がそれぞれ開設されている。
【００２１】
上記した構成の獣害防護フェンス１は、複数の網状体２を横並びに順次連ねて構成されるが、その組立には、まず、網状体２を横並びに連ねる位置に対応して支柱３を地中に打ち込んで縦設する。次に、横並びに連ねる２個の網状体２，２をそれぞれの内端部２Ｌ，２Ｒが支柱３を挟んで前後に重ねられた状態に位置決めした後、網状体連結具４によって各網状体２，２の内端部２Ｌ，２Ｒを支柱３と一体に連結する。図示例では、網状体連結具４を上端側では上位側の横線材２１ａの位置に、下端側では最上位の横線材２１ｃの位置に、それぞれ設置しているが、上端側の他の横線材２１ｂの位置と下端側の他の横線材２１ｄの位置にも網状体連結具４を設置してもよい。
【００２２】
こうして獣害防護フェンス１が構築されると、縦方向の線材２０は、対象とする害獣（例えばイノシシ）の通り抜けが不可能な間隔ｔで配列されているので、害獣は網状体２の間隙を通り抜けることができない。また、横線材２１は、上端側と下端側とにそれぞれ少なくも２本ずつ配されるとともに、上端側の最下位の横線材２１ｂは、下端側の最上位の横線材２１ｃに対して、対象とする害獣の足が届かない高さに配設されているので、害獣が下端側の最上位の横線材２１ｃ上に乗り上がっても、その位置から上端側の最下位の横線材２１ｂに足が届かず、足や足の爪を引っ掛けることができないから、網状体２を乗り越えることができない。しかも、横線材２１が上端側と下端側とにそれぞれ少なくも２本ずつ配されているので、全ての縦線材２０が上端部および下端部において強固に連結されて網状体２の全体の強度が高められ、網状体２の変形などを防止でき、害獣により網状体２が突き破られるおそれがない。
【符号の説明】
【００２３】
１    獣害防護フェンス
２    網状体
２０  縦方向の線材（縦線材）
２１  横方向の線材（横線材）
【図１】
0003153367.tif 000003
【図２】
0003153367.tif 000004
【図３】
0003153367.tif 000005
【図４】
0003153367.tif 000006